(57)【要約】【課題】本体の内側から操作して、仮止め、および仮止めの解除ができるようにしてメンテナンス性を高めることのできる浴室換気乾燥機および換気装置を提供することを目的とする。【解決手段】下方が開口した箱状で天井３に設けた取付開口４に挿脱自在な形状の本体５と、本体５の側面に設けた貫通孔１０を介し、内側または外側に移動可能に設けられる仮固定金具１１とを備え、本体５を天井３の取付開口４から挿入して取り付ける際に、仮固定金具１１を本体５の内側から操作し、天井３に係合して本体５を仮固定することにより、本体５の内側から操作して仮止めおよび仮止めの解除ができるようにしてメンテナンス性を高めることのできる浴室換気乾燥機および換気装置を得られる。【選択図】図１
2007278566.tif 000002
【特許請求の範囲】
【請求項１】
内部に排気手段を有し、下方が開口した箱状で天井に設けた取付開口に挿脱自在な形状の本体と、この本体の側面に設けた貫通孔と、この貫通孔を介し、内側または外側に移動可能に設けられる仮固定金具とを備え、前記本体を天井の取付開口から挿入して取り付ける際に前記仮固定金具を本体の内側から操作し、前記天井に係合して本体を仮固定できる構成とした浴室換気乾燥機および換気装置。
【請求項２】
仮固定金具を、天井の部材に刺さるように先端を尖らせた形状とした請求項１記載の浴室換気乾燥機および換気装置。
【請求項３】
仮固定金具に、移動を制御するストッパーを設けた請求項１または２記載の浴室換気乾燥機および換気装置。
【請求項４】
仮固定金具を、仮固定位置で係止できる係止手段を設けた請求項１〜３のいずれかに記載の浴室換気乾燥機および換気装置。
【請求項５】
室外と連通するように、取付開口近傍の天井裏に設けられる排気アダプターと、この排気アダプターに設けられる係合部と、この係合部に弾性変形して係合するように本体に設けられる戻り止め手段を有した仮固定金具とを備え前記本体を天井の取付開口に挿入し、前記排気アダプターの係合部に本体に設けた仮固定金具の戻り止め手段を係合して仮止めする構成とした請求項１記載の浴室換気乾燥機および換気装置。
【請求項６】
仮固定金具の戻り止め手段をＲ状に形成した請求項５記載の浴室換気乾燥機および換気装置。
【請求項７】
仮固定金具の戻り止め手段を略くの字状に形成した請求項５記載の浴室換気乾燥機および換気装置。
【請求項８】
仮固定金具の戻り止め手段を山形の折り返し状に形成した請求項５記載の浴室換気乾燥機および換気装置。
【発明の詳細な説明】
【技術分野】
【０００１】
本発明は、排気手段を有した天井取付型の浴室換気乾燥機および換気装置に関する。
【背景技術】
【０００２】
従来、この種の浴室換気乾燥機および換気装置の一例として排気手段を有した天井装着式空調機が知られている（例えば、特許文献１参照）。
【０００３】
以下、その天井装着空調機について図１９および図２０を参照にしながら説明する。
【０００４】
図に示すように、浴室乾燥暖房機本体１０１の側面には板ばねの仮止め金具１０２を設け、天井１０３には浴室乾燥暖房機本体１０１の挿入される開口部１０４と、開口部１０４の４隅には固定ボート１０５を垂直方向に取り付け、浴室乾燥暖房機本体１０１のフランジ１０６に設けた固定ボルト１０５の対応する位置に垂直方向に取付孔１０７を設け、固定ボルト１０５が取付孔１０７に挿入されたのちナット１０８を締め付けるように設け、浴室乾燥暖房機本体１０１を天井１０３の開口部１０４に下方側から差し込んでいくと、仮止め金具１０２は開口部１０４の周縁１０９に接触し、差し込んで行くと周縁１０９に押されて変形し、更に差し込んで行くと天井１０３の上方位置において仮止め金具１０２が天井１０３上に開き浴室乾燥暖房機本体１０１は仮止めされるように構成されている。
【特許文献１】特開２００２−１３０７９７号公報（［０００９］〜［００１１］図７、図８）
【発明の開示】
【発明が解決しようとする課題】
【０００５】
このような従来の天井装着式空調機では、浴室乾燥暖房機本体１０１を天井１０３に仮止め金具１０２により仮止めが可能であるが、メンテナンスを行うために浴室乾燥暖房機本体１０１を天井１０３より取り外すときには、仮止め金具１０２が邪魔になり取り外すことができないという課題があり、浴室乾燥暖房機本体１０１を取り外してメンテナンスできるようにすることが要求されている。
【０００６】
本発明は、上記課題を解決するもので、本体の内側から操作して仮止め、および仮止めの解除ができるようにメンテナンス性を高めることのできる排気手段を設けた浴室換気乾燥機および換気装置を提供することを目的としている。
【課題を解決するための手段】
【０００７】
本発明の浴室換気乾燥機および換気装置は上記目的を達成するために、内部に排気手段を有し、下方が開口した箱状で天井に設けた取付開口に挿脱自在な形状の本体と、この本体の側面に設けた貫通孔と、この貫通孔を介し内側または外側に移動可能に設けられる仮固定金具とを備え、前記本体を天井の取付開口から挿入して取り付ける際に前記仮固定金具を本体の内側から操作し、前記天井に係合して仮固定できる構成としたものである。
【０００８】
この手段により、本体の内側から操作して仮止め、および仮止めの解除ができ、メンテナンス性を高めることができる浴室換気乾燥機および換気装置が得られる。
【０００９】
また、他の手段は、仮固定金具を、天井の部材に刺さるように先端を尖らせた形状としたものである。
【００１０】
この手段により、天井材が通常の場合より厚い場合においても仮止め位置の調整をする必要もなく仮止めが可能となる浴室換気乾燥機および換気装置が得られる。
【００１１】
また、他の手段は、仮固定金具に移動を制御するストッパーを設けたものである。
【００１２】
この手段により、仮固定金具が必要以上に本体の外側に突出することもなく、また、仮固定金具が移動操作により本体より外れてしまうことがなくなり、外れることの防止も可能となる浴室換気乾燥機および換気装置が得られる。
【００１３】
また、他の手段は、仮固定金具を、仮固定位置で係止できる係止手段を設けたものである。
【００１４】
この手段により、本体の振動や地震などによる経年変化に対しても仮固定金具が所定位置で保持された状態を確保でき、仮固定が外れるのを防止することができる浴室換気乾燥機および換気装置が得られる。
【００１５】
また、他の手段は、室外と連通するように、取付開口近傍の天井裏に設けられる排気アダプターと、この排気アダプターに設けられる係合部と、この係合部に弾性変形して係合するように本体に設けられる戻り止め手段を有した仮固定金具とを備え、前記本体を天井の取付開口に挿入し、前記排気アダプターの係合部に本体に設けた仮固定金具の戻り手段を係合して仮止めする構成としたものである。
【００１６】
この手段により、仮固定の係合、解除がより容易になるとともに、仮固定用の専用の部材の必要がなくなる浴室換気乾燥機および換気装置が得られる。
【００１７】
また、他の手段は、仮固定金具の戻り止め手段をＲ状に形成したものである。
【００１８】
この手段により、保持状態が良好で、振動等で容易に外れることがなく、経年変化に対応できる浴室換気乾燥機および換気装置が得られる。
【００１９】
また、他の手段は、仮固定金具の戻り止め手段を略くの字状に形成したものである。
【００２０】
この手段により、本体の仮固定が容易となる浴室換気乾燥機および換気装置が得られる。
【００２１】
また、他の手段は、仮固定金具の戻り止め手段を山形の折り返し状に形成したものである。
【００２２】
この手段により、保持状態が良好で振動等で容易に外れることもなく経年変化にも対応できる浴室換気乾燥機および換気装置が得られる。
【発明の効果】
【００２３】
本発明によれば、仮止めおよび仮止めの解除が容易でメンテナンス性を高めることのできるという効果のある浴室換気乾燥機および換気装置を提供できる。
【００２４】
また、天井材が通常の場合より厚い場合においても仮止めの位置の調整をする必要なく仮止めが可能となるという効果のある浴室換気乾燥機及び換気乾燥機を提供できる。
【００２５】
また、仮固定金具の外れることを防止できるという効果のある浴室換気乾燥機および換気装置を提供できる。
【００２６】
また、経年変化等により仮固定が外れるのを防止できるという効果のある浴室換気乾燥機および換気装置を提供できる。
【００２７】
また、仮固定の係合、解除がより容易になるとともに、仮固定用の専用の部材の必要がなくなるという効果のある浴室換気乾燥機および換気装置を提供できる。
【発明を実施するための最良の形態】
【００２８】
本発明の請求項１記載の浴室換気乾燥機および換気装置は、内部に排気手段を有し、下方が開口した箱状で天井に設けた取付開口に挿脱自在な形状の本体と、この本体の側面に設けた貫通孔と、この貫通孔を介し内側または外側に移動可能に設けられる仮固定金具とを備え、前記本体を天井の取付開口から挿入して取り付ける際に前記固定金具を本体の内側から操作し、前記天井に係合して本体を仮固定できる構成としたものであり、本体の内側から仮固定金具を操作し、外側に移動した天井に係合させることにより、本体は仮固定金具により仮固定され、メンテナンスを行うために、本体を天井より取り外すときには、本体の内側から仮固定金具を操作し、天井に係合している仮固定金具を内側に移動することにより、天井に対する仮固定が解除され本体を天井より取り外すことができ、本体の内側から操作して仮止めおよび仮止め解除ができるようにしてメンテナンス性を高めることができるという作用を有する。
【００２９】
また、請求項２記載の浴室換気乾燥機および換気装置は、仮固定金具を、天井の部材に刺さるように先端を尖らせたものであり、本体を仮固定するために、本体の内側から仮固定金具を操作すると、先端を尖らせた状態の仮固定金具が天井を形成する天井部材に刺さり、本体が仮固定され、本体を天上から取り外すときには仮固定金具が本体の内側に移動するように操作することにより、天井部材に刺さっていた仮固定金具が外れ仮固定状態が解除されて天井より本体を取り外しメンテナンスを行うことができる。また、天井部材が通常より厚い場合においても仮止め位置の調整をする必要もなく仮止めが可能となるという作用を有する。
【００３０】
また、請求項３記載の浴室換気乾燥機および換気装置は、仮固定金具に、移動を制御するストッパーを設けたものであり、本体を仮固定するために、本体の内側から仮固定金具を操作し外側に移動させ天井に係合させるときに、仮固定金具の移動を制御するストッパーにより仮固定金具が天井に係合した位置で移動が停止されることとなり、仮固定金具が必要以上に本体の外側に突出することもなく、また、仮固定金具が移動操作により本体に外れてしまうことがなくなるという作用を有する。
【００３１】
また、請求項４記載の浴室換気乾燥機および換気装置は、仮固定金具を、仮固定位置で係止できる係止手段を設けたものであり、本体を仮固定するために、本体の内側から仮固定金具を操作し、本体の外側に移動させ天井に係合させた状態で、本体の内側から係止手段により仮固定金具を係止することにより、仮固定金具の保持が確実に行われ、本体の振動や地震等、および経年変化に対しても仮固定金具が所定位置で保持された状態を確保でき、仮固定が外れるのを防止することができるという作用を有する。
【００３２】
また、請求項５記載の浴室換気乾燥機および換気装置は、室外と連通するように取付開口近傍の天井裏に設けられる排気アダプターと、この排気アダプターに設けられる係合部と、この係合部に弾性変形して係合するように本体に設けられる戻り止め手段を有した仮固定金具とを備え、前記本体を天井の取付開口に挿入し前記排気アダプターの係合部に、本体に設けた仮固定金具の戻り止め手段を係合して仮止めするものであり、排気アダプターに本体を連結するときに、排気アダプターに設けた係合部に、本体に設けた仮固定金具の戻り止め手段が弾性変形して係合することにより、本体が排気アダプターに連結されるので、排気アダプターに本体を連結する部材以外に他の部材を用いる必要がなくなり、仮固定の係合、解除がより容易になるとともに、仮固定用の専用の部材の必要がなくなるという作用を有する。
【００３３】
また、請求項６記載の浴室換気乾燥機および換気装置は、仮固定金具の戻り止め手段をＲ状に形成したものであり、仮固定が確実に行われ、保持状態が良好で、振動等で容易に外れることもなく、経年変化にも対応できることとなるという作用を有する。
【００３４】
また、請求項７記載の浴室換気乾燥機および換気装置は、仮固定金具の戻り止め手段を略くの字に形成したものであり、本体の仮固定が容易となる作用を有する。
【００３５】
また、請求項８記載の浴室換気乾燥機および換気装置は、仮固定金具の戻り止め手段を山形の折り返し状に形成したものであり、排気アダプターに形成した係合部に係合し易くなり、仮固定金具による本体の仮固定が容易となるとともに、保持状態が良好で経年変化にも対応できるという作用を有する。
【００３６】
以下、本発明の実施の形態について図面を参照しながら説明する。
【００３７】
（実施の形態１）
図１〜図４に示すように、下面が開口した箱状で下辺には取付用のフランジ部１を有し、側面には排気口２を設け、天井３に設けた取付開口４に挿脱自在な形状の浴室換気乾燥機の本体５と、本体５の内部には浴室６にヒータ（図示せず）により加熱された温風を循環させる循環用送風機７と、浴室６内の湿気を含む空気を室外に排気する排気用送風機８よりなる排気手段９を設け、本体５の側面に貫通孔１０を設け、貫通孔１０を介し本体５の内側または外側に移動可能に仮固定金具１１を設け、天井３の取付開口４の１辺に室外とダクトを介して連結される排気アダプター１２を設け、本体５を天井３の取付開口４から挿入して取り付ける際に仮固定金具１１を本体５の内側から操作して天井３に係合して本体５を仮固定するとともに、本体５の排気口２を排気アダプター１２に連結できるように構成する。
【００３８】
上記構成において、浴室６内に吊り下げた衣類等を乾燥するときには、循環用送風機７により、温風を浴室６内に循環送風して温風を衣類に接触させて衣類を乾燥するとともに、衣類から発生した水分を含む空気は排気手段９の排気用送風機８により浴室６内の空気を本体５内に給気し、本体５に設けた排気口２を通り排気アダプター１２を介し、室外に排気して衣類の乾燥が行われる。
【００３９】
また、入浴後の浴室６内の湿気を室外に排出する場合には、循環用送風機７の運転を停止し、排気手段９のみを運転することにより、浴室６内の湿気が室外に排出されるように換気を行うことができる。
【００４０】
このように実施の形態１の発明によれば、内部に排気手段９を有し、下方が開口した箱状で天井３に設けた取付開口４に挿脱自在な形状の本体５と、本体５の側面に設けた貫通孔１０と、貫通孔１０を介し内側または外側に移動可能に設けられる仮固定金具１１とを備え、本体５を天井３の取付開口４から挿入して取り付ける際に仮固定金具１１を本体５の内側から操作し、天井３に係合し、本体５を仮固定できるので、本体５の内側から仮固定金具１１を操作し、外側に移動し、天井３に係合させることにより、本体５は仮固定金具１１により仮固定され、メンテナンスを行うときには、本体５の内側から仮固定金具１１を操作し、天井３に係合している仮固定金具１１を内側に移動することにより天井３に対する仮固定が解除され、本体５を天井３より取り外すことができ、本体５の内側から操作して、仮止めおよび仮止め解除ができ、メンテナンス性が高められることとなる。
【００４１】
なお、実施の形態１では実施例として浴室換気乾燥機を用いて説明したが、本体内部に排気手段を設けた天井取付型の換気装置を浴室以外の部屋の天井に設けて部屋の換気を行う場合に用いても同様の作用効果をもたらすものである。
【００４２】
（実施の形態２）
図５および図６に示すように、仮固定金具１１Ａを、天井３Ａの部材に刺さるように先端を尖らせた形状に構成する。
【００４３】
上記構成においては、本体５Ａを仮固定するために、本体５Ａの内側から仮固定金具１１Ａを操作すると、先端を尖らせた状態の仮固定金具１１Ａが天井３Ａを形成する天井部材に刺さり、本体５Ａが仮固定され、本体５Ａを天井３Ａから取り外すときには仮固定金具１１Ａが本体５Ａの内側へ移動するように操作することにより、天井部材に刺さっていた仮固定金具１１Ａが外れ仮固定状態が解除されて天井３Ａより本体５Ａを取りメンテナンスを行うことができる。また、天井部材が通常より厚い場合においても、仮止め位置の調整をする必要もなく仮止めが可能となることとなる。
【００４４】
（実施の形態３）
図７および図８に示すように、仮固定金具１１Ｂに、移動を制御するストッパー１３および仮固定金具１１Ｂを移動させるつまみ１１ａを設け構成する。
【００４５】
上記構成においては、本体５Ｂを仮固定するために、本体５Ｂの内側から仮固定金具１１Ｂを操作し、外側に移動させ天井３Ｂに係合させるときに仮固定金具１１Ｂの移動を制御するストッパー１３により仮固定金具１１Ｂが天井３Ｂに係合した位置で移動が停止されることとなり、仮固定金具１１Ｂが必要以上に本体５Ｂの外側に突出することもなく、また、仮固定金具１１Ｂが移動操作により本体５Ｂより外れてしまうことがなくなることとなる。
【００４６】
（実施の形態４）
図９および図１０に示すように、仮固定金具１１Ｃを本体５Ｃに係止するために、仮固定金具１１Ｃにねじ１４の挿通する挿通孔１５を設けて係止手段１６を形成し、仮固定金具１１Ｃを、仮固定位置で係止できるように設ける。
【００４７】
また、他の例として図１１に示すように、仮固定金具１１Ｄを、仮固定位置において移動を阻止するように本体５Ｄに直接螺合するねじ１４Ａからなる係止手段１６Ａを設け構成する。
【００４８】
上記構成においては、本体５Ｃまたは５Ｄを仮固定するために、本体５Ｃまたは５Ｄの内側から仮固定金具１１Ｃまたは１１Ｄを操作し、本体５Ｃまたは５Ｄの外側に移動させ、天井３Ｃに係合させた状態で、本体５Ｃまたは５Ｄの内側から係止手段１６または１６Ａにより仮固定金具１１Ｃまたは１１Ｄを係止することにより、仮固定金具１１Ｃまたは１１Ｄの保持が確実に行われ、本体５Ｃまたは５Ｄの振動や地震等および経年変化に対しても仮固定金具１１Ｃまたは１１Ｄが所定位置で保持された状態を確保でき、仮固定が外れるのを防止することができることとなる。
【００４９】
（実施の形態５）
図１２〜図１４に示すように、室外と連通するように天井３Ｄの取付開口４Ａ近傍の天井裏に設けられる排気アダプター１２Ａと、排気アダプター１２Ａに設けられる係合部１７と、係合部１７に弾性変形して係合するように本体５Ｅに設けられるＲ状に形成した戻り止め手段１８を有した仮固定金具１１Ｅとを備え、本体５Ｅを天井３Ｄの取付開口４Ｂに挿入し排気アダプター１２Ａの係合部１７に、本体５Ｅに設けた仮固定金具１１Ｅの戻り止め手段１８を係合して仮止めする構成とする。
【００５０】
上記構成においては、排気アダプター１２Ａに本体５Ｅを連結するときに、排気アダプター１２Ａに設けた係合部１７に、本体５Ｅに設けた仮固定金具１１Ｅの戻り止め手段１８が弾性変形して係合することにより、本体５Ｅが排気アダプター１２Ａに連結されるので、排気アダプター１２Ａに本体５Ｅを連結する部材以外に他の部材を用いる必要がなくなり、仮固定の係合、解除がより容易になるとともに、仮固定用の専用の部材の必要がなくなることとなる。
【００５１】
また、仮固定金具１１Ｅの戻り止め手段１８をＲ状に形成しているので、仮固定が確実に行われ、保持状態が良好で、振動等で容易に外れることもなく、経年変化にも対応できることとなる。
【００５２】
（実施の形態６）
図１５および図１６に示すように、仮固定金具１１Ｆの戻り止め手段１８Ａを略くの字状に形成し構成する。
【００５３】
上記構成においては、排気アダプター１２Ｂの係合部１７Ａに係合するときに、係合部１７Ａに対し、戻り止め手段１８Ａの傾斜面が沿うこととなり係合がスムーズとなって仮固定が容易となることとなる。
【００５４】
（実施の形態７）
図１７および図１８に示すように、仮固定金具１１Ｇの戻り止め手段１８Ｂを山形の折り返し状に形成して構成する。
【００５５】
上記構成においては、排気アダプター１２Ｃに形成した係合部１７Ｂに係合し易くなり、仮固定金具１１Ｇによる本体５Ｆの仮固定が容易となるとともに、戻り止め手段１８Ｂの折り返し部分により保持されることとなり、保持状態が良好で経年変化に対応できることとなる。
【００５６】
なお、実施の形態１〜実施の形態７において、本体の内部にヒータを設け浴室内に温風を循環送風させるとともに、浴室内の空気を排気する浴室換気乾燥機を用いて説明したが、室内の空気を排気する、あるいは、室外の空気を給気する換気装置においても、同様の作用効果を有するものである。
【産業上の利用可能性】
【００５７】
本発明にかかる浴室換気乾燥機および換気装置の本体の仮止めおよび仮止め解除の構造は、本体の内側から操作して本体の仮止めおよび仮止め解除ができ、メンテナンス性を高めることができることによって、天井に取り付けられる空気調和機、熱交換器等にも適用できる。
【図面の簡単な説明】
【００５８】
【図１】本発明の実施の形態１の浴室換気乾燥機の仮固定金具の係合状態を示す部分断面図
【図２】同浴室換気乾燥機の取り付け構成を示す斜視図
【図３】同浴室換気乾燥機の設置状態を示す側面図
【図４】同浴室換気乾燥機の下面図
【図５】本発明の実施の形態２の浴室換気乾燥機の設置状態を示す側面図
【図６】同浴室換気乾燥機の仮固定状態を示す部分断面図
【図７】本発明の実施の形態３の浴室換気乾燥機の仮固定金具の斜視図
【図８】同浴室換気乾燥機の仮固定状態を示す部分断面図
【図９】本発明の実施の形態４の浴室換気乾燥機の仮固定金具の斜視図
【図１０】同浴室換気乾燥機の仮固定状態を示す部分断面図
【図１１】同浴室換気乾燥機の他の形態の仮固定状態を示す部分断面図
【図１２】本発明の実施の形態５の浴室換気乾燥機の仮固定状態を示す部分断面図
【図１３】同浴室換気乾燥機の仮固定金具の斜視図
【図１４】同浴室換気乾燥機の斜視図
【図１５】本発明の実施の形態６の浴室換気乾燥機の仮固定金具の斜視図
【図１６】同浴室換気乾燥機の仮固定状態を示す部分断面図
【図１７】本発明の実施の形態７の浴室換気乾燥機の仮固定金具の斜視図
【図１８】同浴室換気乾燥機の仮固定状態を示す部分断面図
【図１９】従来の浴室換気乾燥機の装着途中の状態を示す側面図
【図２０】同浴室換気乾燥機の仮止め状態を示す側面図
【符号の説明】
【００５９】
３      天井
３Ａ    天井
３Ｄ    天井
４      取付開口
４Ａ    取付開口
５      本体
５Ｅ    本体
９      排気手段
１０    貫通孔
１１    仮固定金具
１１Ａ  仮固定金具
１１Ｂ  仮固定金具
１１Ｃ  仮固定金具
１１Ｄ  仮固定金具
１１Ｅ  仮固定金具
１１Ｆ  仮固定金具
１１Ｇ  仮固定金具
１２Ａ  排気アダプター
１３    ストッパー
１６    係止手段
１６Ａ  係止手段
１７    係合部
１８    戻り止め手段
１８Ａ  戻り止め手段
１８Ｂ  戻り止め手段
【図１】
2007278566.tif 000003
【図２】
2007278566.tif 000004
【図３】
2007278566.tif 000005
【図４】
2007278566.tif 000006
【図５】
2007278566.tif 000007
【図６】
2007278566.tif 000008
【図７】
2007278566.tif 000009
【図８】
2007278566.tif 000010
【図９】
2007278566.tif 000011
【図１０】
2007278566.tif 000012
【図１１】
2007278566.tif 000013
【図１２】
2007278566.tif 000014
【図１３】
2007278566.tif 000015
【図１４】
2007278566.tif 000016
【図１５】
2007278566.tif 000017
【図１６】
2007278566.tif 000018
【図１７】
2007278566.tif 000019
【図１８】
2007278566.tif 000020
【図１９】
2007278566.tif 000021
【図２０】
2007278566.tif 000022